(57)【特許請求の範囲】
【請求項１】
遠心脱水機本体(1)の一対の軸受(2a,2b)により、ケース(2)内に回転軸(20)を介して回転自在に設けられたロータ(6)と、前記ロータ(6)の外周に設けられた多数のペレット誘導体(5)と、前記ケース(2)内でかつ前記ペレット誘導体(5)の外側に配設された円筒状のパンチングスクリーン(4)と、を備え、
前記ケース(2)内に供給された樹脂ペレットスラリー(14)は、前記ロータ(6)とパンチングスクリーン(4)を介して水と樹脂ペレット(12)が分離され、前記樹脂ペレット(12)が前記パンチングスクリーン(4)の内側に押し当てられながら上方へ搬送されて前記ケース(2)の樹脂ペレット出口(13)から外部に放出されるようにした樹脂ペレットの脱水装置において、
前記ケース(2)の上部には多数のスリットが形成されるか、又は、メッシュで構成された天板(2c)が設けられ、前記天板(2c)の上部に設けられ空気吸入口(11)を形成するための枠体(31)が設けられ、前記軸受(2a)は、前記空気吸入口(11)を形成するための前記枠体(31)の上部に保持され、前記プロペラ(30)は、前記天板(2c)を回転自在に貫通して突出すると共に前記回転軸(20)の上部に設けられて前記軸受(2a)に軸支された突出部(20a)に設けられ、前記プロペラ(30)により前記空気吸入口(11)から吸い込んだ外気を前記遠心分離機本体(1)の脱水部(40)の下方へ向けて強制的に送り込み、前記樹脂ペレット(12)に前記外気を吹き付けることを特徴とする樹脂ペレットの脱水装置。
【請求項２】
遠心脱水機本体(1)の一対の軸受(2a,2b)により、ケース(2)内に回転軸(20)を介して回転自在に設けられたロータ(6)と、前記ロータ(6)の外周に設けられた多数のペレット誘導体(5)と、前記ケース(2)内でかつ前記ペレット誘導体(5)の外側に配設された円筒状のパンチングスクリーン(4)と、を備え、
前記ケース(2)内に供給された樹脂ペレットスラリー(14)は、前記ロータ(6)とパンチングスクリーン(4)を介して水と樹脂ペレット(12)が分離され、前記樹脂ペレット(12)が前記パンチングスクリーン(4)の内側に押し当てられながら上方へ搬送されて前記ケース(2)の樹脂ペレット出口(13)から外部に放出されるようにした樹脂ペレットの脱水方法において、
前記ケース(2)の上部には多数のスリットが形成されるか、又は、メッシュで構成された天板(2c)が設けられ、前記天板(2c)の上部に設けられ空気吸入口(11)を形成するための枠体(31)が設けられ、前記軸受(2a)は、前記空気吸入口(11)を形成するための前記枠体(31)の上部に保持され、前記プロペラ(30)は、前記天板(2c)を回転自在に貫通して突出すると共に前記回転軸(20)の上部に設けられて前記軸受(2a)に軸支された突出部(20a)に設けられ、前記プロペラ(30)により前記空気吸入口(11)から吸い込んだ外気を前記遠心分離機本体(1)の脱水部(40)の下方へ向けて強制的に送り込み、前記樹脂ペレット(12)に前記外気を吹き付けることを特徴とする樹脂ペレットの脱水方法。
【発明の詳細な説明】
【技術分野】
【０００１】
本発明は、樹脂ペレットの脱水装置及び方法に関し、特に、ロータの上部に設けたプロペラによって外気を強制的に下方に供給し、樹脂ペレットの脱水効率向上を計るための新規な改良に関する。
【背景技術】
【０００２】
従来、用いられていたこの種の樹脂ペレットの脱水装置及び方法としては、例えば、特許文献１の樹脂ペレット用遠心脱水乾燥機の構成を挙げることができるが、この従来構成を簡単に説明すると、図２に示される実機の樹脂ペレットの遠心脱水機の構成を挙げることができる。
図２において、符号１で示されるものは遠心脱水機本体であり、この遠心脱水機本体１の円筒状をなすケース２内には、円筒状の空隙３を介して円筒状をなすパンチングスクリーン４が内設されている。
【０００３】
前記パンチングスクリーン４の内側には、前記ケース２の両端に設けられた図示しない一対の軸受を介して回転自在な回転軸(図示せず)が設けられており、この回転軸には外周に多数のブレードからなるペレット誘導体５を有するロータ６が回転軸と一体回転するように設けられている。
【０００４】
前記ケース２は、基台７上に設置された複数の足部８上に固定されており、この足部８の近傍に位置するモータ用足場９上に設けられたモータ１０によって前記ロータ６が回転駆動されるように構成されている。
【０００５】
前記ケース２の上部には、前記ケース２内に空気を取り入れるための空気吸入口１１が設けられ、この空気吸入口１１の下方には外部に樹脂ペレット１２を放出するための樹脂ペレット出口１３が設けられている。
前記ケース２の下部には、樹脂ペレットスラリー１４を遠心脱水機本体１内に供給するための樹脂ペレットスラリー入口１５が設けられ、この樹脂ペレットスラリー入口１５の下方位置には、遠心脱水機本体１内の水を外部に排出するための水出口１６が設けられている。
さらに、このケース２の中央位置には、遠心脱水機本体１内の空気を外部に排出するための空気排出口１７が設けられ、この空気排出口１７はダクト配管１７Ｂを介して外部に設けられた排風機１７Ａに接続されている。
【０００６】
従って、前述の従来構成において、モータ１０の回転によってロータ６と共にペレット誘導体５を回転させた状態下で、図示しない押出機及び水中カット装置を経て構成された樹脂ペレットスラリー１４と搬送用の水は、予め図示しない脱水スクリーン樹脂ペレットスラリー１４から水分を取り除き、まだ、水分の残った樹脂ペレットスラリー１４として、樹脂ペレットスラリー入口１５から遠心脱水機本体１のケース２内に送られ、樹脂ペレット１２は回転しているロータ６のペレット誘導体５によってパンチングスクリーン４内で回転させられる。
【０００７】
前記ペレット誘導体５によって回転させられた樹脂ペレット１２は、回転によって発生する遠心力とパンチングスクリーン４の作用によって水と樹脂ペレット１２が分離されつつ、かつ、上方向きの角度にやや傾斜して配設された各ペレット誘導体５の回転作用によってパンチングスクリーン４の内側に押しつけられつつ遠心脱水機本体１の上方に搬送され、水分が殆んど付着していない樹脂ペレット１２として前記樹脂ペレット出口１３から外部へ排出される。
【０００８】
また、前記樹脂ペレットスラリー１４中の樹脂ペレット１２は自熱を有する高温状態であるため、この自熱により樹脂ペレット１２から蒸発させられた遠心脱水機本体１内の水分は、ケース２に設けられた空気排出口１７から前述の排風機１７Ａを介して外部に排出されることにより、樹脂ペレット１２の表面に付着している水分を除去していた。
【先行技術文献】
【特許文献】
【０００９】
【特許文献１】特開２００３−５００８７号公報
【発明の概要】
【発明が解決しようとする課題】
【００１０】
従来、用いられていた樹脂ペレットの脱水方法及び装置は、以上のように構成されていたため、次のような課題が存在していた。
すなわち、樹脂ペレットの自熱により蒸発させられた水分は、排風機にて遠心脱水機内の空気を吸い出して排出する時に同時に排出されることにより樹脂ペレットの表面水分を除去しているため、樹脂ペレットスラリー中の樹脂ペレットの温度が低いと水分が十分に蒸発しなかったり、水分が樹脂ペレットに再付着することがあり、樹脂ペレットの表面の水分を十分に取り除くことができないなどの問題が発生していた。
【００１１】
本発明は、以上のような課題を解決するためになされたもので、特に、ロータの上部に設けたプロペラによって外気を強制的に下方へ向けて供給し、樹脂ペレットに直接空気を吹き付け、樹脂ペレットの脱水向上を得るようにすることを目的とする。
【課題を解決するための手段】
【００１２】
本発明による樹脂ペレットの脱水装置は、遠心脱水機本体の一対の軸受により、ケース内に回転軸を介して回転自在に設けられたロータと、前記ロータの外周に設けられた多数のペレット誘導体と、前記ケース内でかつ前記ペレット誘導体の外側に配設された円筒状のパンチングスクリーンと、を備え、前記ケース内に供給された樹脂ペレットスラリーは、前記ロータとパンチングスクリーンを介して水と樹脂ペレットが分離され、前記樹脂ペレットが前記パンチングスクリーンの内側に押し当てられながら上方へ搬送されて前記ケースの樹脂ペレット出口から外部に放出されるようにした樹脂ペレットの脱水装置において、前記ケースの上部には多数のスリットが形成されるか、又は、メッシュで構成された天板が設けられ、前記天板の上部に設けられ空気吸入口を形成するための枠体が設けられ、前記軸受は、前記空気吸入口を形成するための前記枠体の上部に保持され、前記プロペラは、前記天板を回転自在に貫通して突出すると共に前記回転軸の上部に設けられて前記軸受に軸支された突出部に設けられ、前記プロペラにより前記空気吸入口から吸い込んだ外気を前記遠心分離機本体の脱水部の下方へ向けて強制的に送り込み、前記樹脂ペレットに前記外気を吹き付ける構成であり、また、本発明による樹脂ペレットの脱水方法は、遠心脱水機本体の一対の軸受により、ケース内に回転軸を介して回転自在に設けられたロータと、前記ロータの外周に設けられた多数のペレット誘導体と、前記ケース内でかつ前記ペレット誘導体の外側に配設された円筒状のパンチングスクリーンと、を備え、前記ケース内に供給された樹脂ペレットスラリーは、前記ロータとパンチングスクリーンを介して水と樹脂ペレットが分離され、前記樹脂ペレットが前記パンチングスクリーンの内側に押し当てられながら上方へ搬送されて前記ケースの樹脂ペレット出口から外部に放出されるようにした樹脂ペレットの脱水方法において、前記ケースの上部には多数のスリットが形成されるか、又は、メッシュで構成された天板が設けられ、前記天板の上部に設けられ空気吸入口を形成するための枠体が設けられ、前記軸受は、前記空気吸入口を形成するための前記枠体の上部に保持され、前記プロペラは、前記天板を回転自在に貫通して突出すると共に前記回転軸の上部に設けられて前記軸受に軸支された突出部に設けられ、前記プロペラにより前記空気吸入口から吸い込んだ外気を前記遠心分離機本体の脱水部の下方へ向けて強制的に送り込み、前記樹脂ペレットに前記外気を吹き付けることを特徴とする樹脂ペレットの脱水方法である。
【発明の効果】
【００１３】
本発明による樹脂ペレットの脱水装置及び方法は、以上のように構成されているため、次のような効果を得ることができる。
すなわち、ケース内に回転軸を介して回転自在に設けられたロータと、前記ロータの外周に設けられた多数のペレット誘導体と、前記ケース内でかつ前記ペレット誘導体の外側に配設された円筒状のパンチングスクリーンと、を備え、前記ケース内に供給された樹脂ペレットスラリーは、前記ロータとパンチングスクリーンを介して水と樹脂ペレットが分離され、前記樹脂ペレットが前記ケースの樹脂ペレット出口から外部に放出されるようにした樹脂ペレットの脱水装置において、前記ロータの上部にはプロペラが設けられ、前記プロペラにより吸い込んだ外気を前記ケースの下方へ向けて強制的に送り込み、前記樹脂ペレットに前記外気を吹き付けることにより、より多くの外気を遠心脱水機内に取り込むと同時に脱水部及び樹脂ペレットに直接空気を吹き付け、樹脂ペレット表面の水分を迅速に除去することができる。
また、前記プロペラは、前記回転軸に設けられていることにより、ロータの回転と連動して回転し、別のモータ等を用いることなく、安定した空気の吸入を行うことができる。
また、前記樹脂ペレットスラリーを前記ケース内に供給するための樹脂ペレットスラリー入口及び前記ケース内の水を外に排出するための水出口は、前記ケースの下部に設けられていることにより、樹脂ペレットスラリー入口から供給された樹脂ペレットスラリー中の水は、効率よく水出口から外部に排出することができる。
【図面の簡単な説明】
【００１４】
【図１】本発明による樹脂ペレットの脱水装置を示す断面構成図である。
【図２】従来の樹脂ペレットの脱水装置を示す一部切欠き付き斜視図である。
【発明を実施するための形態】
【００１５】
本発明は、ロータの上部に設けたプロペラによって外気を強制的に下方に向けて供給し、樹脂ペレットの脱水向上を得るようにした樹脂ペレットの脱水装置及び方法を提供することを目的とする。
【実施例】
【００１６】
以下、図面と共に本発明による樹脂ペレットの脱水装置及び方法の好適な実施の形態について説明する。
尚、従来例と同一又は同等部分には、同一符号を付して説明する。
図１において符号１で示されるものは、遠心脱水機本体であり、この遠心脱水機本体１の円筒状をなすケース２内には、円筒状の空隙３を介して円筒状をなすパンチングスクリーン４が内設されている。
【００１７】
前記パンチングスクリーン４の内側には、前記ケース２の両端に設けられた一対の軸受２ａ，２ｂを介して回転軸２０が回転自在に設けられており、この回転軸２０には外周に多数のブレードからなるペレット誘導体５を有するロータ６が回転軸２０と一体回転するように設けられている。
【００１８】
前記ケース２は、基台７上に設置された複数の足部８上に固定されており、この足部８の近傍に位置するモータ用足場９上に設けられたモータ１０によって前記ロータ６が回転するように構成されている。
すなわち、前記モータ１０のモータプーリ２１に設けられたベルト２２は、前記回転軸２０の下部に設けられたプーリ２３に懸架されていることにより、前記モータ１０のモータ回転軸２４の回転が前記ロータ６の回転軸２０に伝達されるように構成されている。
【００１９】
前記ロータ６の上部、すなわち、回転軸２０の上部にはプロペラ３０が固定して設けられており、このプロペラ３０は前記ケース２の天板２ｃを回転自在に貫通して突出すると共に前記回転軸２０の上部に設けられて前記軸受２ａに軸支された突出部２０ａに設けられている。
前記天板２ｃは、図示していないが、良好な通気性を得るように多数のスリットが形成されるか、又は、メッシュで構成されており、この天板２ｃの上方位置には前記軸受２ａが位置していると共に、この軸受２ａは前記天板２ｃの上部に設けられた空気吸入口１１を形成するための枠体３１の上部に保持されている。
【００２０】
前記ケース２の上部の前記天板２ｃの下方には樹脂ペレット出口１３が設けられ、この樹脂ペレット出口１３の下方位置にはケース２内の空気を排出するための空気排出口１７が形成され、この空気排出口１７はダクト配管１７Ｂを介して外部に設けられた排風機１７Ａに接続されている。
前記ケース２の前記空気排出口１７の下方位置には、樹脂ペレットスラリー１４をケース２内に供給するための樹脂ペレットスラリー入口１５が設けられ、この樹脂ペレットスラリー入口１５の下方位置には、ケース２内の水を外部に排出するための水出口１６が形成されている。
尚、前述のロータ６とペレット誘導体５とパンチングスクリーン４とによって脱水部４０が形成されている。
【００２１】
次に、前述の構成において、モータ１０の回転によってロータ６と共にペレット誘導体５及びプロペラ３０を回転させた状態下で、図示しない押出機及び水中カット装置を経て製造された樹脂ペレット１２と搬送用の水は、予め図示しない脱水スクリーンで樹脂ペレットスラリー１４から水分を取り除き、まだ、水分の残った樹脂ペレットスラリー１４として、樹脂ペレットスラリー入口１５から遠心脱水機本体１のケース２内に入れられ、モータ１０によって回転されるロータ６の遠心力で樹脂ペレット１２がパンチングスクリーン４の内側に押し当てられながら上方へと搬送される。
【００２２】
前記ロータ６の遠心力とパンチングスクリーン４の作用により、樹脂ペレットスラリー１４から水分と樹脂ペレット１２とが分離され、樹脂ペレット１２がロータ６のペレット誘導体５によって遠心脱水機１の上部に搬送されて樹脂ペレット出口１３から外部に搬出される。
尚、前記パンチングスクリーン４によって樹脂ペレット１２から分離された水は、ケース２の下方へ落下し、この下部に形成されている水出口１６から外部に排出される。
【００２３】
前述の場合、前記遠心脱水機本体１の上部に位置するプロペラ３０が前述のように、回転軸２０の回転と共に連れ回りしているため。このプロペラ３０による空気吸引力によって外気が空気吸入口１１から強力に吸込まれ、この吸込んだ外気を矢印で示されるように、遠心脱水機１の脱水部４０の下部に向けて強制的に送り込まれることにより、多くの樹脂ペレット１２に対して外気を強力に吹き付けることができる。
また、前記樹脂ペレット１２の自熱により蒸発させられた水分は、ケース２の空気排出口１７にダクト配管１７Ｂを介して設けられた排風機１７Ａによって遠心脱水機本体１内の空気を空気排気出口１７から外部に排出することにより、同時に外部に排出されて取り除かれる。
【００２４】
前述の本発明による樹脂ペレットの脱水装置及び方法をまとめると、次の通りである。
すなわち、遠心脱水機本体１の一対の軸受２ａ,２ｂにより、ケース２内に回転軸２０を介して回転自在に設けられたロータ６と、前記ロータ６の外周に設けられた多数のペレット誘導体５と、前記ケース２内でかつ前記ペレット誘導体５の外側に配設された円筒状のパンチングスクリーン４と、を備え、
前記ケース２内に供給された樹脂ペレットスラリー１４は、前記ロータ６とパンチングスクリーン４を介して水と樹脂ペレット１２が分離され、前記樹脂ペレット１２が前記パンチングスクリーン４の内側に押し当てられながら上方へ搬送されて前記ケース２の樹脂ペレット出口１３から外部に放出されるようにした樹脂ペレットの脱水装置において、
前記ケース２の上部には多数のスリットが形成されるか、又は、メッシュで構成された天板２ｃが設けられ、前記天板２ｃの上部に設けられ空気吸入口１１を形成するための枠体３１が設けられ、前記軸受２ａは、前記空気吸入口１１を形成するための前記枠体３１の上部に保持され、前記プロペラ３０は、前記天板２ｃを回転自在に貫通して突出すると共に前記回転軸２０の上部に設けられて前記軸受２ａに軸支された突出部２０ａに設けられ、前記プロペラ３０により前記空気吸入口１１から吸い込んだ外気を前記遠心分離機本体１の脱水部４０の下方へ向けて強制的に送り込み、前記樹脂ペレット１２に前記外気を吹き付ける構成と方法である。
【産業上の利用可能性】
【００２５】
本発明による樹脂ペレットの脱水装置及び方法は、ロータの上部に設けたプロペラによって外気を強制的に下方に供給し、樹脂ペレットの脱水効率向上を計ることができる。
【符号の説明】
【００２６】
１    遠心脱水機本体
２    ケース
２ａ，２ｂ    軸受
２ｃ    天板
３    空隙
４    パンチングスクリーン
５    ペレット誘導体（ブレード）
６    ロータ
７    基台
８    足部
９    モータ用足場
１０    モータ
１１    空気吸入口
１２    樹脂ペレット
１３    樹脂ペレット出口
１４    樹脂ペレットスラリー
１５    樹脂ペレットスラリー入口
１６    水出口
１７    空気排出口
２０    回転軸
２０ａ    突出部
２１    モータプーリ
２２    ベルト
２３    プーリ
２４    モータ回転軸
３０    プロペラ
３１ 枠体
４０    脱水部
【図１】
0005546527.tif 000002
【図２】
0005546527.tif 000003